(57)【特許請求の範囲】
【請求項１】
衣服等に取付けられて、コードを引き出し位置又は引き込み位置でロックするためのものであり、貫通させたコードの引き出し方向及び引き込み方向の移動にフリクションを付与するために、コードよりも小径に設定された貫通穴を有する柔軟性の筒状ストッパー本体が設けられ、このストッパー本体の貫通穴の中間部分に、貫通穴の一方側から通したコードの端を引き出すための貫通穴欠損部が形成されていることを特徴とするコードストッパー。
【発明の詳細な説明】
【０００１】
【発明の属する技術分野】
本発明は、ウェア（衣服）やバッグ等に用いられるコードストッパーの改良に関する。
【０００２】
【従来の技術】
上記のようなコードストッパーは、ウェア、例えばスキーウェアにおいては、ジャンバー側の胴回り部分やズボン側の腰回り部分に設けられたコードを引き出しながら胴回り部分や腰回り部分を絞り込むと共に、胴回り部分や腰回り部分を押し広げながらコードを引き込んで、このコードを引き出し位置又は引き込み位置でロックするために用いられている。
【０００３】
また、バッグ、例えば巾着状の袋の口回り部分に設けられたコードを引き出しながら口回り部分を絞り込むと共に、口回り部分を押し広げながらコードを引き込んで、このコードを引き出し位置又は引き込み位置でロックするために用いられている。その他、シューズの紐（コード）等をロックするために用いられている。
【０００４】
上記コードストッパーとしては、貫通させたコードの引き出し方向及び引き込み方向の移動にフリクションを付与する長い貫通穴を有するものがある。
【０００５】
【発明が解決しようとする課題】
しかしながら、上記貫通穴は、コードにフリクションを付与するためにコードよりも細く形成されていて、しかも長いことから、貫通穴にコードを無理通しする作業が非常に煩わしくて、通し作業に時間がかかるという問題があった。
【０００６】
本発明は、上記従来の問題を解決するためになされたもので、機能性及びデザイン性に優れると共に、コードの通し作業が簡単かつ短時間に行えて、コードの通し作業性が向上するコードストッパーを提供することを目的とするものである。
【０００７】
【課題を解決するための手段】
上記課題を解決するために、本発明の請求項１は、衣服等に取付けられて、コードを引き出し位置又は引き込み位置でロックするためのものであり、貫通させたコードの引き出し方向及び引き込み方向の移動にフリクションを付与するために、コードよりも小径に設定された貫通穴を有する柔軟性の筒状ストッパー本体が設けられ、このストッパー本体の貫通穴の中間部分に、貫通穴の一方側から通したコードの端を引き出すための貫通穴欠損部が形成されていることを特徴とするコードストッパーを提供するものである。
【０００８】
請求項１によれば、ストッパー本体の貫通穴の中間部分に貫通穴欠損部が形成されているから、貫通穴にコードを通す作業に際しては、貫通穴の一方側からコードの端を通して直ぐに貫通穴欠損部からコードを引き出すとともに、この貫通穴欠損部から引き出したコードの端を再び貫通穴を通して直ぐに貫通穴の他方側から引き出すことにより、貫通穴欠損部にはコードを無理通しする必要がなくなる。
【００１１】
【発明の実施の形態】
以下、本発明の実施の形態を図面を参照して詳細に説明する。
【００１２】
図１〜図３は第１実施形態のコードストッパー１Ａである。図１及び図２に示すように、上記コードストッパー１Ａは、円筒状のストッパー本体１を備え、このストッパー本体１の貫通穴１ａは、貫通させたコード２の引き出し方向Ｄ及び引き込み方向Ｆの移動にフリクション（抵抗）を付与するように、コード２よりも小径に設定されている。
【００１３】
上記ストッパー本体１の外周部には、衣服等３のコード２の引き出し・引き込み用ハトメ４の近傍に縫い付け又は貼り付けるためのフランジ部１ｂが形成されている。
【００１４】
上記ストッパー本体１の貫通穴１ａの長さ方向の中間部分には貫通穴欠損部１ｃが形成されている。この貫通穴欠損部１ｃの長さＬ（図２（ａ）参照）は、コード２に必要なフリクションに応じて適宜に設定することができる。
【００１５】
上記コードストッパー１Ａは、柔軟性を有するシリコン系のゴムや合成樹脂で成形するのが好ましが、ナイロン製やＡＢＳ製であっても良い。
【００１６】
第１実施形態のコードストッパー１Ａであれば、ストッパー本体１の貫通穴１ａの中間部分に貫通穴欠損部１ｃが形成されているから、貫通穴１ｃにコード２を通す作業に際しては、図２（ｂ）に示すように、貫通穴１ｃの一方側からコード２の端２ａを通して直ぐに貫通穴欠損部１ｃからコード２を引き出すとともに、図２（ｃ）〜（ｄ）に示すように、この貫通穴欠損部１ｃから引き出したコード２の端２ａを再び貫通穴１ｃを通して直ぐに貫通穴１ｃの他方側から引き出すようにする。
【００１７】
これにより、貫通穴欠損部１ｃにはコード２を無理通しする必要がなくなるので、コード２の通し作業が簡単かつ短時間に行えて、コードの通し作業性が向上するようになる。
【００１８】
第１実施形態のコードストッパー１Ａは、円筒状のストッパー本体１が１個（シングル）であったが、図３に示すように、ストッパー本体１を平行に２個連設して、コード２をＵターンさせてそれぞれに通すダブルタイプとすることもできる。
【００１９】
図４〜図７は参考例のコードストッパー１Ｂである。図４及び図５に示すように、上記コードストッパー１Ｂは、平板状のストッパー本体１を備え、このストッパー本体１の中央部１ｆは円形状の薄肉に形成されると共に、この中央部１ｆの中心の小径貫通穴１ｄには、衣服等３のコード２の引き出し方向Ｄ及び引き込み方向Ｆに撓み可能な十字切り込み状のスリット１ｇが形成されていて、コード２の引き出し方向Ｄ及び引き込み方向Ｆの移動にフリクション（抵抗）を付与するように設定されている。
【００２０】
このスリット１ｄのスリット幅やスリット長さ及びスリット数は、コード２に必要なフリクションに応じて適宜に設定することができる。
【００２１】
上記ストッパー本体１の外周部には、衣服等３のコード２の引き出し・引き込み用ハトメに代えて縫い付け又は貼り付けるためのフランジ部１ｅが形成されている。
【００２２】
上記コードストッパー１Ｂは、柔軟性を有するシリコン系のゴムや合成樹脂で成形するのが好ましが、ナイロン製やＡＢＳ製であっても良い。
【００２３】
参考例のコードストッパー１Ｂであれば、ストッパー本体１の貫通穴１ｄには、コード２の引き出し方向Ｄ及び引き込み方向ｆに撓み可能な十字切り込み状のスリット１ｇが形成されているから、貫通穴１ｄにコード２を通す作業に際しては、図５（ｂ）に示すように、例えば引き出し方向Ｄにスリット１ｄを撓ませて貫通穴１ｄを広げながらコード２の端２ａを通して直ぐにコード２を引き出すことができる。なお、図５（ｃ）に示すように、コード２を引き込み方向Ｆに移動させるときには、スリット１ｇは引き込み方向Ｆに撓むようになる。
【００２４】
これにより、貫通穴１ｄにはコード２を無理通しする必要がなくなるので、コード２の通し作業が簡単かつ短時間に行えて、コード２の通し作業性が向上するようになる。また、衣服等１に直接取付けることができるから、機能性及びデザイン性に優れるようになる。
【００２５】
参考例のコードストッパー１Ｂは、円筒状のストッパー本体１が１個（シングル）であったが、図７に示すように、ストッパー本体１を平行に２個連設して、コード２をＵターンさせてそれぞれに通すダブルタイプとすることもできる。この場合、コードストッパー２のＵターン部分には、コードストッパー２の引っ張り用チューブ５を通しておくこともできる。
【００２６】
図４及び図６に示すように、衣服等３の前見頃の左右位置の各コードストッパー１Ｂ（１Ａ）から引き出された各コード２の先端には、四角ブロック状のコードエンド６Ａ，６Ｂをそれぞれ取付けることができる。
【００２７】
この各コードエンド６Ａ，６Ｂは柔軟性を有するシリコン系のゴムや合成樹脂で成形するのが好ましが、ナイロン製やＡＢＳ製であっても良い。
【００２８】
そして、一方のコードエンド６Ａには半円状突起６ａを形成すると共に、他方のコードエンド６Ｂには半円状凹部６ｂを形成して、図６に示したように、コードエンド６Ａの半円状突起６ａとコードエンド６Ｂの半円状凹部６ｂとを嵌め合わせて合体させることにより、各コード２の先端がぶらつかないようになるから、機能性及びデザイン性に優れるようになる。
【００２９】
【発明の効果】
以上の説明からも明らかなように、本発明の請求項１は、ストッパー本体の貫通穴の中間部分に貫通穴欠損部が形成されているから、貫通穴にコードを通す作業に際しては、貫通穴の一方側からコードの端を通して直ぐに貫通穴欠損部からコードを引き出すとともに、この貫通穴欠損部から引き出したコードの端を再び貫通穴を通して直ぐに貫通穴の他方側から引き出すことにより、貫通穴欠損部にはコードを無理通しする必要がなくなるので、コードの通し作業が簡単かつ短時間に行えて、コードの通し作業性が向上するようになる。
【図面の簡単な説明】
【図１】  第１実施形態のコードストッパーであり、（ａ）は取付け状態の斜視図、（ｂ）は前面側斜視図、（ｃ）は側面側斜視図である。
【図２】  第１実施形態のコードストッパーであり、（ａ）は正面断面図、（ｂ）はコードを貫通穴の一方側に通した正面断面図、（ｃ）はコードを貫通穴の他方側に通した正面断面図、（ｄ）コードを貫通穴に通した正面断面図である。
【図３】  変形例のコードストッパーの取付け状態の斜視図である。
【図４】  参考例のコードストッパーの取付け状態の斜視図である。
【図５】  参考例のコードストッパーであり、（ａ）は正面断面図、（ｂ）はコードをスリットに通した正面断面図、（ｃ）はコードを引き込み方向に引っ張った正面断面図である。
【図６】  コードエンドの合体状態の斜視図である。
【図７】  変形例のコードストッパーの取付け状態の斜視図である。
【図１】
0004559576.tif 000002
【図２】
0004559576.tif 000003
【図３】
0004559576.tif 000004
【図４】
0004559576.tif 000005
【図５】
0004559576.tif 000006
【図６】
0004559576.tif 000007
【図７】
0004559576.tif 000008